(57)【要約】【課題】母線バーに対して斜め方向から移動させて接続する際に、プラグ端子に対して適切な角度で接するようにさせること。【解決手段】母線バーに接続するプラグ端子２を備えたプラグイン式ブレーカ１であって、プラグ端子２が形成されるプラグ溝部１１を備え、最上段のプラグ溝部には、少なくとも一部がプラグ端子２より先端側の上側に設けられた上面側規制部１２と、少なくとも一部がプラグ端子２より先端側の下側に設けられた下面側規制部１３を備え、前記上面側規制部の少なくとも一部を前記下面側規制部よりも先端側に設けた構成とする。【選択図】図２
2020021636.tif 000002
【特許請求の範囲】
【請求項１】
母線バーに接続するプラグ端子を備えたプラグイン式ブレーカであって、
プラグ端子を備えるプラグ溝部を備え、
最上段のプラグ溝部には、少なくとも一部がプラグ端子より先端側の上側に設けられた上面側規制部と、少なくとも一部がプラグ端子より先端側の下側に設けられた下面側規制部を備え、
前記上面側規制部の少なくとも一部を前記下面側規制部よりも先端側に設けたプラグイン式ブレーカ。
【請求項２】
上面側規制部が母線バーと接したままプラグイン式ブレーカを移動させた際に、下面側規制部が母線バーに接するように構成されるガイド面を上面側規制部に設けた請求項１に記載のプラグイン式ブレーカ。
【請求項３】
プラグ端子は母線バーの上下面に当接するプラグ端子下側接触部と、プラグ端子上側接触部を備え、
プラグ端子下側接触部に連なる下側受け部に導くガイド面を下面側規制部に備えた請求項１又は２に記載のプラグイン式ブレーカ。
【請求項４】
正面視において、上面側規制部の少なくとも一部及び下面側規制部の少なくとも一部は、プラグ端子と母線バーが接触する接触箇所よりも幅方向の外側に位置する請求項１から３の何れかに記載のプラグイン式ブレーカ。
【発明の詳細な説明】
【技術分野】
【０００１】
本発明は、プラグイン式ブレーカに関するものである。
【背景技術】
【０００２】
分電盤内に母線バーを配置することが知られている。母線バーは間隔をあけて積み上げられるように配置される。特許文献１に記載されていることから理解されるように、このような母線バーに対して分岐ブレーカの接続を行う際、分岐ブレーカの下部に設けた係合片を取付板に係合させるように、分岐ブレーカをスライドさせることがなされている。この場合、分岐ブレーカは取付板の面と平行に移動するようにスライドさせる。また、特許文献２に記載されているように、母線バーに対して分岐ブレーカを斜め方向に移動させて接続することもなされている。
【先行技術文献】
【特許文献】
【０００３】
【特許文献１】特開２００６−２３０１３４号公報
【特許文献２】特開平１１−６９５２９号公報
【０００４】
ところで、特許文献２に記載の構造のように、分岐ブレーカを斜めに移動させて母線バーに接続することは、特許文献１に記載されているような、取付板の面と平行にスライド移動させるよりも、取り付けやすい場合がある。しかしながら、分岐ブレーカを傾き過ぎた状態で母線バーと接続しようとすると、プラグ端子が変形する虞がある。
【発明の概要】
【発明が解決しようとする課題】
【０００５】
本件の発明者は、この点について鋭意検討することにより、解決を試みた。本発明の課題は、母線バーに対して斜め方向から移動させて接続する際に、プラグ端子に対して適切な角度で接するようにさせることである。
【課題を解決するための手段】
【０００６】
上記課題を解決するため、母線バーに接続するプラグ端子を備えたプラグイン式ブレーカであって、プラグ端子を備えるプラグ溝部を備え、最上段のプラグ溝部には、少なくとも一部がプラグ端子より先端側の上側に設けられた上面側規制部と、少なくとも一部がプラグ端子より先端側の下側に設けられた下面側規制部を備え、前記上面側規制部の少なくとも一部を前記下面側規制部よりも先端側に設けたプラグイン式ブレーカとする。
【０００７】
また、上面側規制部が母線バーと接したままプラグイン式ブレーカを移動させた際に、下面側規制部が母線バーに接するように構成されるガイド面を上面側規制部に設けることが好ましい。
【０００８】
また、プラグ端子は母線バーの上下面に当接するプラグ端子下側接触部と、プラグ端子上側接触部を備え、プラグ端子下側接触部に連なる下側受け部に導くガイド面を下面側規制部に備えた構成とすることが好ましい。
【０００９】
また、正面視において、上面側規制部の少なくとも一部及び下面側規制部の少なくとも一部は、プラグ端子と母線バーが接触する接触箇所よりも幅方向の外側に位置する構成とすることが好ましい。
【発明の効果】
【００１０】
本発明では、母線バーに対して斜め方向から移動させて接続する際に、プラグ端子に対して適切な角度で接するようにさせることができ、プラグ端子の変形を防止することが可能である。
【図面の簡単な説明】
【００１１】
【図１】母線バーに対してプラグイン式ブレーカを斜め方向から差し込んで取り付ける状態を表した図である。
【図２】プラグ端子上側接触部とプラグ端子下側接触部と上面側規制部と下面側規制部の関係を表した図である。但し、上下左右の出っ張り具合を分かりやすくするために破線を付している。なお、図示右側が先端側である。
【図３】傾けたプラグイン式ブレーカを母線バーに当接させた状態を表した図である。
【図４】図３における最上段のプラグ溝部周りを拡大して表した図である。
【図５】下面側規制部と母線バーとを当接させた状態を表した図である。
【図６】図５における最上段のプラグ溝部周りを拡大して表した図である。
【図７】プラグイン式ブレーカを母線バーに取り付け終えた状態を表した図である。
【図８】図７における最上段のプラグ溝部周りを拡大して表した図である。
【図９】プラグ端子の側面図である。
【図１０】図３に表したプラグイン式ブレーカの斜視図である。
【図１１】図１０における最上段のプラグ溝部周りを拡大して表した図である。
【図１２】図１０とは異なる形態の上面側規制部を採用したプラグイン式ブレーカの最上段のプラグ溝部周りを拡大して表した斜視図である。
【図１３】図１２で表したものと同じプラグイン式ブレーカの最上段のプラグ溝部周りを拡大して表した側面図である。
【発明を実施するための形態】
【００１２】
以下に発明を実施するための形態を示す。図１乃至図４に示されていることから理解されるように、実施形態のプラグイン式ブレーカ１は、母線バー９に接続するプラグ端子２（プラグ端子上側接触部２１とプラグ端子下側接触部２２）を備えている。このプラグイン式ブレーカ１は、プラグ端子２（プラグ端子上側接触部２１とプラグ端子下側接触部２２）を備えるプラグ溝部１１を備えている。また、最上段のプラグ溝部１１には、少なくとも一部がプラグ端子上側接触部２１より先端側の上側に設けられた上面側規制部１２と、少なくとも一部がプラグ端子下側接触部２２より先端側の下側に設けられた下面側規制部１３を備えている。更には、前記上面側規制部１２の少なくとも一部を前記下面側規制部１３よりも先端側に設けている。このため、母線バー９に対して斜め方向から移動させて接続する際に、プラグ端子２に対して適切な角度で接するようにさせることができ、プラグ端子２の過度な変形を防止する。なお、プラグイン式ブレーカ１の先端側とは、プラグ溝部１１の入り口側であり、図２に示された状態では右側となる。
【００１３】
実施形態のプラグイン式ブレーカ１は、分電盤に取り付けられるものであり、母線バー９に接続される分岐ブレーカである。この例では、ねじ端子式ブレーカに変換部材を取り付けることでプラグイン式ブレーカ１としている。なお、本明細書では、長板状に形成された母線バー９の長手方向を前後方向とし、短手方向を左右方向とする。また、母線バー９が積まれる方向を上下方向とする。
【００１４】
実施形態の上面側規制部１２と下面側規制部１３は、ケース１９に一体となるように形成されている。ただし、上面側規制部１２や下面側規制部１３は、ケース１９に対して後から取り付けるようにしても良い。
【００１５】
実施形態のプラグイン式ブレーカ１は、最上段のプラグ溝部１１に対して、少なくとも一部がプラグ端子上側接触部２１より先端側の上側に設けられた上面側規制部１２と、少なくとも一部がプラグ端子下側接触部２２より先端側の下側に設けられた下面側規制部１３を備えている。これは、母線バー９に対してプラグイン式ブレーカ１を傾けた状態で当てると、先ず最上段の母線バー９がプラグイン式ブレーカ１に当たるため、このタイミングからプラグイン式ブレーカ１の移動をコントロールできるようにするためである。
【００１６】
図３及び図４に示すことから理解されるように、母線バー９に対してプラグイン式ブレーカ１を傾けた状態で当てると、先ず、上面側規制部１２が母線バー９に当たる。また、この状態から上面側規制部１２が母線バー９と接したままプラグイン式ブレーカ１を移動させた際に、母線バー９が下面側規制部１３に接するように構成されている。つまり、上面側規制部１２は、下面側規制部１３が母線バー９に適切に接することができるように機能する。
【００１７】
実施形態の上面側規制部１２は、曲面状のガイド面１４を備えている。このガイド面１４は、側面視で弧状となるように形成されており、下面側規制部１３に向かうように形成している。実施形態のガイド面１４は、側面視で円弧状となっているため、プラグイン式ブレーカ１の傾きが緩やかになるように変えても、上面側規制部１２と母線バー９が接した状態の確保がし易い。そのため、少なくとも上面側規制部１２のガイド面１４が下面側規制部１３よりも先端側に位置させることが望ましい。
【００１８】
図３から図６に示すことから理解されるように、上面側規制部１２に接触した母線バー９は、次に下面側規制部１３に接触する。この状態からプラグイン式ブレーカ１を更に移動させようとすると、上面側規制部１２と下面側規制部１３の存在により、母線バー９に対するプラグイン式ブレーカ１の角度が所定範囲内に収まるように移動することになる。このため、プラグイン式ブレーカ１を母線バー９に接続する際に、プラグ端子２が過度に変形してしまうことが抑制される。このようにプラグイン式ブレーカ１を移動させていき、図７及び図８に示すことから理解されるように、母線バー９がプラグ端子上側接触部２１とプラグ端子下側接触部２２の間に挟まれた状態にした上で、プラグイン式ブレーカ１が固定される。
【００１９】
ところで、母線バー９と接続するプラグ端子２は、プラグ端子上側接触部２１とプラグ端子下側接触部２２が母線バー９を挟止する挟止部２８となるが、図９に示すことから理解されるように、実施形態のプラグ端子２は、この挟止部２８よりも先端側に、母線バー９を受け入れるために受け部２９を備えている。この受け部２９は、挟止部２８から先端側に向けて徐々に上下の間隔が広がるように設けられている。このようにするため、プラグ端子上側接触部２１と連なるように上側受け部２３が設けられ、プラグ端子下側接触部２２と連なるように下側受け部２４が設けられている。なお、実施形態のプラグ端子２は、側面視略Ｕ字状となっている。
【００２０】
実施形態の下面側規制部１３は、プラグ端子下側接触部２２に連なる下側受け部２４に導くガイド面１５を下面側規制部１３に備えている。このガイド面１５は曲面状に設けられている。このガイド面１５は、側面視で弧状となるように形成されている。このため、プラグ端子下側接触部２２にプラグ端子下側接触部２２にスムーズにガイドすることができる。
【００２１】
ところで、実施形態の上面側規制部１２と下面側規制部１３は、正面視において、上面側規制部１２の少なくとも一部及び下面側規制部１３の少なくとも一部は、プラグ端子２と母線バー９が接触する接触箇所よりも上下方向の外側に位置するように構成されている。母線バー９が接続されると、プラグ端子上側接触部２１とプラグ端子下側接触部２２が広がった上で母線バー９に接触される。このとき、母線バー９は上面側規制部１２と下面側規制部１３によって移動を規制されるため、プラグ端子上側接触部２１とプラグ端子下側接触部２２の過度な開きを規制することもできる。なお、ここでいう正面視とは、プラグイン式ブレーカ１の差し込み方向から見た状態である。
【００２２】
また、上面側規制部１２と下面側規制部１３が、ケース１９の幅方向の両端の少なくとも一方側に形成された構成である。図１０及び図１１に示す例のプラグイン式ブレーカ１は、ケース１９の幅方向の両端各々に上面側規制部１２と下面側規制部１３が設けられている。このようにすることで、母線バー９とプラグ端子２の位置関係を安定させることができる。上面側規制部１２と下面側規制部１３が幅方向に連続して形成するものであっても良い。
【００２３】
図１０及び図１１に示す例のプラグイン式ブレーカ１は、上面側規制部１２が略球状であり、下面側規制部１３が、長板状であるが、図１２及び図１３に示す例のプラグイン式ブレーカ１は、上面側規制部１２も下面側規制部１３も長板状である。また、上面側規制部１２も下面側規制部１３も略球状としてもよいし、上面側規制部１２が長板状であり、下面側規制部１３が、略球状であってよい。また、左右方向によって形状を異なるものとしても良い。また、上面側規制部１２、下面側規制部１３が弧状のガイド面からなる構造として説明したが傾斜状のガイド面でもよく、上面側規制部１２が母線バー９を下面側規制部１３に向かうようにガイドし、下面側規制部１３がプラグ端子下側接触部２２に向かうようにガイドする構造であれば良い。
【００２４】
以上、実施形態を例に挙げて本発明について説明してきたが、本発明は上記実施形態に限定されることはなく、各種の態様とすることが可能である。
【符号の説明】
【００２５】
１  プラグイン式ブレーカ
２  プラグ端子
９  母線バー
１１  プラグ溝部
１２  上面側規制部
１３  下面側規制部
２１  プラグ端子上側接触部
２２  プラグ端子下側接触部
２４  下側受け部
【図１】
2020021636.tif 000003
【図２】
2020021636.tif 000004
【図３】
2020021636.tif 000005
【図４】
2020021636.tif 000006
【図５】
2020021636.tif 000007
【図６】
2020021636.tif 000008
【図７】
2020021636.tif 000009
【図８】
2020021636.tif 000010
【図９】
2020021636.tif 000011
【図１０】
2020021636.tif 000012
【図１１】
2020021636.tif 000013
【図１２】
2020021636.tif 000014
【図１３】
2020021636.tif 000015